(57)【要約】【課題】利便性が向上されたコントローラなどを提供する。【解決手段】コントローラ１００は、蓄電池３００に接続された第１のＤＣ／ＤＣコンバータ２１０、及び、第１のＤＣ／ＤＣコンバータ２１０に接続された双方向インバータ２２０を備える蓄電システム２００におけるコントローラであって、双方向インバータ２２０にＤＣバスを介して第１のＰＶ４００が接続されている所定の状態であるか否かに応じて、表示部１３０に表示させる内容を変更させる制御回路１１０を備える。【選択図】図１
2018196286.tif 000002
【特許請求の範囲】
【請求項１】
蓄電池に接続された第１のＤＣ／ＤＣコンバータ、及び、前記第１のＤＣ／ＤＣコンバータに接続された双方向インバータを備える蓄電システムにおけるコントローラであって、
前記双方向インバータにＤＣバスを介して前記太陽電池モジュールが接続されている所定の状態であるか否かに応じて、前記コントローラと接続された表示部に表示させる内容を変更させる制御回路を備える、
コントローラ。
【請求項２】
前記表示部をさらに備える、
請求項１に記載のコントローラ。
【請求項３】
前記制御回路は、
前記所定の状態である場合に、前記太陽電池モジュールによる発電量に関する表示を、前記太陽電池モジュールが発電した発電量で前記表示部に表示させ、
前記所定の状態でない場合に、前記太陽電池モジュールによる発電量に関する表示を、固定値で前記表示部に表示させる、
請求項１または２に記載のコントローラ。
【請求項４】
前記制御回路は、
前記所定の状態である場合に、前記太陽電池モジュールと、前記太陽電池モジュールと前記双方向インバータとの間に接続される第２のＤＣ／ＤＣコンバータとの接続状態が正常であるか否かを確認するための表示を前記表示部に表示させ、
前記所定の状態でない場合に、前記太陽電池モジュールと前記第２のＤＣ／ＤＣコンバータとの接続状態が正常であるか否かを確認するための表示を前記表示部に表示させない、
請求項１〜３のいずれか１項に記載のコントローラ。
【請求項５】
前記コントローラは、さらに通信部を備え、
前記制御回路は、
前記所定の状態である場合に、系統電源へ逆潮する電力量の抑制を指示する旨を示す信号の前記通信部を介した受信を設定するための画像を前記表示部に表示させ、
前記所定の状態でない場合に、前記信号の前記通信部を介した受信を設定するための画像を前記表示部に表示させない、
請求項１〜４のいずれか１項に記載のコントローラ。
【請求項６】
前記制御回路は、前記所定の状態でない場合に、前記第２のＤＣ／ＤＣコンバータと前記太陽電池モジュールとを接続する端子部に基準値以上の電圧を検出したとき、前記基準値以上の電圧を検出した旨を示す表示を前記表示部に表示させる、
請求項１〜５のいずれか１項に記載のコントローラ。
【請求項７】
請求項１〜６のいずれかに記載のコントローラと、
前記第１のＤＣ／ＤＣコンバータと、
前記双方向インバータと、
前記太陽光電池モジュールと前記双方向インバータとの間に接続された第２のＤＣ／ＤＣコンバータと、を備える、
蓄電システム。
【請求項８】
蓄電池に接続された第１のＤＣ／ＤＣコンバータ、及び、前記第１のＤＣ／ＤＣコンバータに接続された双方向インバータを備える蓄電システムを制御する制御方法をコンピュータに実行させるためのプログラムであって、
前記双方向インバータにＤＣバスを介して前記太陽電池モジュールが接続されている所定の状態であるか否かに応じて、表示部に表示させる内容を変更する制御方法をコンピュータに実行させるための
プログラム。
【発明の詳細な説明】
【技術分野】
【０００１】
本発明は、蓄電池と接続される蓄電システムを制御するためのコントローラ、当該コントローラを備える蓄電システムおよびプログラムに関する。
【背景技術】
【０００２】
従来、系統電源、太陽電池モジュールなどから供給される電力を充電する蓄電池ユニットがある。例えば、特許文献１には、太陽電池モジュールで発電されたエネルギーを蓄電池に充電させ、電気機器などの負荷（電力負荷）に電力を供給できるパワーコンディショナが開示されている。
【先行技術文献】
【特許文献】
【０００３】
【特許文献１】特開２０１６−１５８６４号公報
【発明の概要】
【発明が解決しようとする課題】
【０００４】
ところで、太陽電池モジュールで発電された電力は、ＤＣ／ＤＣコンバータなどを介して、蓄電システムと接続された蓄電池に充電される。蓄電池に充電された電力は、ＤＣ（Ｄｉｒｅｃｔ  Ｃｕｒｒｅｎｔ）電力からＡＣ（Ａｌｔｅｒｎａｔｅｄ  Ｃｕｒｒｅｎｔ）電力に変換されて、例えば、家屋内の負荷へ電力が供給される。
【０００５】
ここで、例えば、太陽電池モジュールと、蓄電システムが備えるＤＣ／ＤＣコンバータとが適切に接続されていない場合、太陽電池モジュールで発電された電力は、蓄電システムと接続された蓄電池に充電されない。しかしながら、蓄電システムのユーザが、当該接続状態が適切か否かを確認する場合、太陽電池モジュールおよび蓄電システムが設置される場所、配線などによっては、簡便に接続状態を確認することができず、利便性がよくなかった。
【０００６】
そこで本発明は、利便性が向上されたコントローラ、蓄電システムおよびプログラムを提供する。
【課題を解決するための手段】
【０００７】
本発明の一態様に係るコントローラは、蓄電池に接続された第１のＤＣ／ＤＣコンバータ、及び、前記第１のＤＣ／ＤＣコンバータに接続された双方向インバータを備える蓄電システムにおけるコントローラであって、前記双方向インバータにＤＣバスを介して前記太陽電池モジュールが接続されている所定の状態であるか否かに応じて、前記コントローラと接続された表示部に表示させる内容を変更させる制御回路を備える。
【０００８】
また、本発明の一態様に係る蓄電システムは、上記記載のコントローラと、前記第１のＤＣ／ＤＣコンバータと、前記双方向インバータと、前記太陽光電池モジュールと前記双方向インバータとの間に接続された第２のＤＣ／ＤＣコンバータと、を備える。
【０００９】
また、本発明の一態様に係るプログラムは、蓄電池に接続された第１のＤＣ／ＤＣコンバータ、及び、前記第１のＤＣ／ＤＣコンバータに接続された双方向インバータを備える蓄電システムを制御する制御方法をコンピュータに実行させるためのプログラムであって、前記双方向インバータにＤＣバスを介して前記太陽電池モジュールが接続されている所定の状態であるか否かに応じて、表示部に表示させる内容を変更する制御方法を含む。
【００１０】
また、本発明は、本発明の一態様に係るプログラムを記録したコンピュータによって読み取り可能なＣＤ−ＲＯＭなどの記録媒体として実現されてもよい。また、本発明は、そのプログラムを示す情報、データ又は信号として実現されてもよい。そして、それらプログラム、情報、データ及び信号は、インターネット等の通信ネットワークを介して配信されてもよい。
【発明の効果】
【００１１】
本発明のコントローラなどによれば、利便性が向上される。
【図面の簡単な説明】
【００１２】
【図１】図１は、実施の形態に係るコントローラおよび蓄電システムを含むシステムを説明するためのブロック図である。
【図２】図２は、実施の形態に係るコントローラが、ユーザから蓄電システムと太陽電池モジュールとの接続状態を示す指示を取得する場合に、表示部に表示させる画像の一例を示す図である。
【図３】図３は、実施の形態に係るコントローラにおける、表示部に表示させる画像を決定する処理手順を示すフローチャートである。
【図４Ａ】図４Ａは、実施の形態に係るコントローラが、蓄電システムと太陽電池モジュールとが正常な接続状態である場合に表示部に表示させる画像の一例を示す図である。
【図４Ｂ】図４Ｂは、実施の形態に係るコントローラが、蓄電システムと太陽電池モジュールとが正常な接続状態でない場合に表示部に表示させる画像の一例を示す図である。
【図５】図５は、実施の形態に係るコントローラが出力抑制指令受信のための設定用アイコンを表示部に表示させる処理手順の一例を示すフローチャートである。
【図６】図６は、実施の形態に係るコントローラが、太陽電池モジュールの発電量を表示部に表示させる場合の画像の一例を示す図である。
【図７】図７は、実施の形態に係る蓄電システムが所定の状態でない場合を説明するためのブロック図である。
【図８】図８は、実施の形態に係る蓄電システムが所定の状態でない場合に、当該蓄電システムが備える端子部に基準値以上の電圧を検出されたとき、コントローラが実行する表示部の制御の処理手順の一例を示すフローチャートである。
【発明を実施するための形態】
【００１３】
以下、実施の形態に係るコントローラ、蓄電システムおよびプログラムについて、図面を参照しながら説明する。なお、以下で説明する実施の形態は、いずれも包括的又は具体的な例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、最上位概念を示す独立請求項に記載されていない構成要素については、任意の構成要素として説明される。
【００１４】
なお、各図は模式図であり、必ずしも厳密に図示されたものではない。また、各図において、実質的に同一の構成に対しては同一の符号を付しており、重複する説明は省略又は簡略化される場合がある。
【００１５】
（実施の形態）
［コントローラおよび蓄電システムの構成］
図１および図２を参照して、実施の形態に係るコントローラおよび蓄電システムについて説明する。
【００１６】
図１は、実施の形態に係るコントローラおよび蓄電システムを含むシステムを説明するためのブロック図である。
【００１７】
コントローラ１００は、蓄電システム２００を制御する制御装置である。具体的には、コントローラ１００は、蓄電システム２００が備える第１のＤＣ／ＤＣコンバータ２１０、双方向インバータ２２０、及び、第２のＤＣ／ＤＣコンバータ２３０を制御する。コントローラ１００と、蓄電システム２００が備える第１のＤＣ／ＤＣコンバータ２１０、双方向インバータ２２０、および、第２のＤＣ／ＤＣコンバータ２３０とは、通信可能に接続されている。例えば、コントローラ１００と、蓄電システム２００が備える第１のＤＣ／ＤＣコンバータ２１０、双方向インバータ２２０、及び、第２のＤＣ／ＤＣコンバータ２３０とは、制御線（配線）によって通信可能に接続されている。また、例えば、コントローラ１００と、蓄電システム２００が備える第１のＤＣ／ＤＣコンバータ２１０、双方向インバータ２２０、および、第２のＤＣ／ＤＣコンバータ２３０とは、無線によって通信可能に接続されていてもよい。つまり、コントローラ１００と、蓄電システム２００が備える他の構成要素とは、１つの筐体に一体的に構成されてもよいし、別体で構成されてもよい。つまり、コントローラ１００は、いわゆるリモートコントローラでもよい。
【００１８】
蓄電システム２００は、第１のＤＣ／ＤＣコンバータ２１０と（Ｄｉｒｅｃｔ  Ｃｕｒｒｅｎｔ）バスである電力線で接続される、リチウムイオン電池、鉛蓄電池などの蓄電池３００の充放電を制御するための装置である。例えば、コントローラ１００は、双方向インバータ２２０とＡＣ（Ａｌｔｅｒｎａｔｅｄ  Ｃｕｒｒｅｎｔ）バスである電力線で接続される分電盤５００を介して、外部商用電源である系統電源６００からの電力を充電する場合には、双方向インバータ２２０の電力変換の向きを制御する。具体的には、コントローラ１００は、系統電源６００から供給される交流（ＡＣ）電力を直流（ＤＣ）電力に変換し、第１のＤＣ／ＤＣコンバータ２１０へ出力する。コントローラ１００は、第１のＤＣ／ＤＣコンバータ２１０で当該ＤＣ電力の電圧を制御して蓄電池３００を充電させる。また、コントローラ１００は、蓄電池３００に充電された電力を分電盤５００と接続された電化製品などの負荷５２０に供給する場合、双方向インバータ２２０を制御して蓄電池３００から供給されるＤＣ電力をＡＣ電力に変換して系統電源６００側へ出力する。
【００１９】
また、蓄電システム２００では、太陽電池モジュール（第１のＰＶ（Ｐｈｏｔｏｖｏｌｔａｉｃｓ）４００）と第２のＤＣ／ＤＣコンバータ２３０とが直接接続される場合がある。つまり、蓄電システム２００は、蓄電池３００及び第１のＰＶ４００と接続可能なハイブリットパワーコンディショナである。また、蓄電システム２００は、太陽電池モジュールである第２のＰＶ４１０と双方向インバータ２２０とが、ＰＣＳ（Ｐｏｗｅｒ  Ｃｏｎｄｉｔｉｏｎｉｎｇ  Ｓｙｓｔｅｍ：パワーコンディショナ）５１０、分電盤５００を介して接続される場合がある。コントローラ１００は、第１のＰＶ４００および／または第２のＰＶ４１０が蓄電システム２００と接続されているか否かに応じて、第１のＰＶ４００および／または第２のＰＶ４１０で発電される電力を蓄電池３００への充電を制御する。
【００２０】
コントローラ１００は、制御回路１１０と、操作部１２０とを備える。
【００２１】
制御回路１１０は、蓄電システム２００と接続される蓄電池３００の充放電を制御する。制御回路１１０は、例えば、ＣＰＵ（Ｃｅｎｔｒａｌ  Ｐｒｏｃｅｓｓｉｎｇ  Ｕｎｉｔ）、とＣＰＵが実行する制御プログラムが格納された記憶装置（不図示）によって実現される。記憶装置としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、フラッシュメモリなどが例示される。なお、制御回路１１０は、ゲートアレイ等を用いた専用の電子回路によってハードウェア的に実現されてもよい。
【００２２】
制御回路１１０は、双方向インバータ２２０にＤＣバスを介して第１のＰＶ４００が接続されている所定の状態であるか否かに応じて、コントローラ１００と通信可能に接続される表示部１３０に表示させる内容を変更する。具体的には、制御回路１１０は、所定の状態であるか否かを判定し、所定の状態であるか否かの判定結果に応じて、表示部１３０に表示させる内容を変更する。図１においては、第２のＤＣ／ＤＣコンバータ２３０は、端子部７００を介して、第１のＰＶ４００と接続されている。つまり、図１に示される蓄電システム２００の状態は、所定の状態を満たしている。
【００２３】
また、制御回路１１０は、第１のＰＶ４００による発電量に関する表示を表示部１３０に表示させる。例えば、制御回路１１０は、所定の状態である場合、第１のＰＶ４００が１．０ｋＷ発電している場合には、表示部１３０に１．０ｋＷ発電している旨を表示させる。
【００２４】
ここで、制御回路１１０は、所定の状態でない場合に、第１のＰＶ４００による発電量に関する表示を表示部１３０にさせなくてもよいが、第１のＰＶ４００による発電量に関する表示を固定値として表示部１３０に表示させるとよい。固定値は特に限定されるものではないが、例えば、制御回路１１０は、第１のＰＶ４００による発電量に関する表示を０として表示部１３０に表示させる。
【００２５】
また、制御回路１１０は、ユーザが蓄電システム２００と第１のＰＶ４００との接続状態を設定する際には、所定の状態である場合に、第２のＤＣ／ＤＣコンバータ２３０と第１のＰＶ４００との接続状態が正常であるか否かを確認するための表示を表示部１３０に表示させる。一方、制御回路１１０は、所定の状態でない場合に、第２のＤＣ／ＤＣコンバータ２３０と第１のＰＶ４００との接続状態が正常であるか否かを確認するための表示を表示部１３０に表示させない。
【００２６】
また、制御回路１１０は、所定の状態でない場合に、第２のＤＣ／ＤＣコンバータ２３０と第１のＰＶ４００とを接続する端子部７００に基準値以上の電圧を検出したとき、当該基準値以上の電圧を検出した旨を示す表示を表示部１３０に表示させる。
【００２７】
端子部７００は、第２のＤＣ／ＤＣコンバータ２３０と第１のＰＶ４００とを電気的に接続させるための端子である。
【００２８】
なお、制御回路１１０は、例えば、系統電源６００と分電盤５００とを接続するＡＣバスに流れる電流の向きを検出するＣＴ（Ｃｕｒｒｅｎｔ  Ｔｒａｓｆｏｒｍｅｒ）センサ５３０から逆潮流方向に電流が流れているか否かを示す信号を取得してもよい。制御回路１１０は、当該信号から逆潮流方向に電流が流れているか否かを判定してもよい。この場合には、制御回路１１０は、所定の状態であるか否かに応じて、双方向インバータ２２０におけるＤＣ／ＡＣを変換する方向の制御をしてもよい。
【００２９】
操作部１２０は、コントローラ１００を操作するユーザからの指示を取得するための入力機構である。操作部１２０は、ユーザが操作可能に構成されていればよく、例えば、ボタン、タッチパネルなどにより実現される。制御回路１１０は、例えば、操作部１２０のユーザによる操作によって、蓄電システム２００が所定の状態であるか否かを判定する。
【００３０】
なお、コントローラ１００は、ユーザが所有するパーソナルコンピュータ、スマートフォンなどが有するディスプレイにユーザが操作部１２０を操作するための画像を表示させてもよいが、表示部１３０を備えてもよい。
【００３１】
表示部１３０は、蓄電システム２００と接続される蓄電池３００の充電状態などを表示する表示装置である。表示部１３０は、例えば、ディスプレイである。
【００３２】
なお、操作部１２０の機能と表示部１３０の機能とは、例えば、タッチパネルディスプレイ等を用いて、一体的に形成されてもよい。つまり、当該タッチパネルディスプレイが、操作部１２０の機能と表示部１３０の機能とを有してもよい。
【００３３】
図２は、実施の形態に係るコントローラ１００が、ユーザから蓄電システム２００と太陽電池モジュール（第１のＰＶ４００および第２のＰＶ４１０）との接続状態を示す指示を取得する場合に、表示部１３０に表示させる画像の一例を示す図である。
【００３４】
図２に示されるように、制御回路１１０は、ユーザから蓄電システム２００に第１のＰＶ４００および／または第２のＰＶ４１０が接続されているか否かを取得するために、表示部１３０に画像１３１を表示させる。ユーザは、操作部１２０を操作して、蓄電システム２００が太陽電池モジュールと接続されているか否かを入力する。制御回路１１０は、ユーザに入力された第１のＰＶ４００と蓄電システム２００との接続状態に関する情報に基づいて、所定の状態であるか否かを判定する。
【００３５】
また、コントローラ１００は、さらに通信部１４０を備える。
【００３６】
通信部１４０は、系統電源６００を備える電力会社が送信する情報を取得するための通信インターフェースである。具体的には、通信部１４０は、電力会社が送信する信号を有線通信または無線通信によって受信するための通信インターフェースである。制御回路１１０は、所定の状態である場合に、系統電源６００へ逆潮流（逆潮）する電力量の抑制を指示する旨を示す信号（出力抑制指令）の通信部１４０を介した受信を設定するための画像を表示部１３０に表示させる。一方、制御回路１１０は、所定の状態でない場合に、出力抑制指令の通信部１４０を介した受信を設定するための画像を表示部１３０に表示させない。
【００３７】
蓄電システム２００は、コントローラ１００と、第１のＤＣ／ＤＣコンバータ２１０と、双方向インバータと、第２のＤＣ／ＤＣコンバータ２３０とを備える。
【００３８】
第１のＤＣ／ＤＣコンバータ２１０は、蓄電池３００とＤＣバスで接続され、蓄電池３００に充放電される電力の電圧を制御するためのＤＣ／ＤＣコンバータである。
【００３９】
双方向インバータ２２０は、分電盤５００を介して系統電源６００、ＰＣＳ５１０、負荷５２０などとＡＣバスで接続される双方向ＤＣ／ＡＣインバータである。また、双方向インバータ２２０は、第１のＤＣ／ＤＣコンバータ２１０を介して蓄電池３００とＤＣバスで接続され、第２のＤＣ／ＤＣコンバータ２３０を介して第１のＰＶ４００とＤＣバスで接続される。例えば、双方向インバータ２２０は、分電盤５００側から入力されるＡＣ電力をＤＣ電力に変換して蓄電池３００側へ出力する。また、例えば、双方向インバータ２２０は、蓄電池３００側から入力されるＤＣ電力をＡＣ電力に変換して分電盤５００側へ出力する。
【００４０】
第２のＤＣ／ＤＣコンバータ２３０は、第１のＰＶ４００とＤＣバスで接続され、第１のＰＶ４００で発電された電力の電圧を制御するためのＤＣ／ＤＣコンバータである。
【００４１】
［蓄電システムの制御］
続いて、制御回路１１０による蓄電システム２００の表示部１３０の制御の詳細について説明する。
【００４２】
＜初期設定段階における表示部の制御＞
図３は、実施の形態に係るコントローラ１００における、表示部１３０に表示させる画像を決定する処理手順を示すフローチャートである。具体的には、図３に示すフローチャートは、ユーザが、蓄電システム２００の運用を開始させる際に、制御回路１１０が表示部１３０に表示させる画像を決定するためのフローチャートである。
【００４３】
まず、制御回路１１０は、ユーザから蓄電システム２００に第１のＰＶ４００が接続されている所定の状態であるか否かを判定する（ステップＳ１０１）。例えば、制御回路１１０は、蓄電システム２００が立ち上げられた際に、図２に示す画像１３１を表示部１３０に表示させる。第１のＰＶ４００との接続の正常判定については、例えば、第１のＰＶ４００から蓄電システム２００へ一定以上の電圧が印加されたことをもって正常と判定する。制御回路１１０は、ユーザが操作部１２０を操作することによって、蓄電システム２００が所定の状態であるか否かを判定する。
【００４４】
制御回路１１０は、ユーザから蓄電システム２００（具体的には、第２のＤＣ／ＤＣコンバータ２３０）に第１のＰＶ４００が接続されている所定の状態であると判定した場合（ステップＳ１０１でＹｅｓ）、蓄電システム２００と第１のＰＶ４００との接続状態を確認する（ステップＳ１０２）。制御回路１１０は、第２のＤＣ／ＤＣコンバータ２３０と第１のＰＶ４００とが端子部７００を介して電気的に接続されているかを確認する。
【００４５】
次に、制御回路１１０は、第２のＤＣ／ＤＣコンバータ２３０と第１のＰＶ４００との接続が正常な接続状態があるか否かを確認する（ステップＳ１０３）。正常な接続状態とは、第１のＰＶ４００が発電した電力が、端子部７００を介して蓄電システム２００側へ流れる状態である。
【００４６】
制御回路１１０は、第２のＤＣ／ＤＣコンバータ２３０と第１のＰＶ４００との接続が正常な接続状態であると判定した場合（ステップＳ１０３でＹｅｓ）、蓄電システム２００と第１のＰＶ４００との接続が正常な接続状態にある旨を示す画像を表示部１３０に表示させる（ステップＳ１０４）。
【００４７】
一方、制御回路１１０は、第２のＤＣ／ＤＣコンバータ２３０と第１のＰＶ４００との接続が正常な接続状態ではないと判定した場合（ステップＳ１０３でＮｏ）、蓄電システム２００と第１のＰＶ４００との接続が正常な接続状態にはない旨を示す画像を表示部１３０に表示させる（ステップＳ１０５）。
【００４８】
図４Ａは、実施の形態に係るコントローラ１００が、蓄電システム２００と太陽電池モジュール４００とが正常な接続状態である場合に表示部１３０に表示させる画像の一例を示す図である。
【００４９】
図３に示すステップＳ１０４において、制御回路１１０は、例えば図４Ａに示す画像１３２を表示部１３０に表示させる。画像１３３には、例えば、「ＰＶ接続：［Ｏ．Ｋ．］」などの、蓄電システム２００と第１のＰＶ４００との接続が正常にできている旨をユーザに通知できる表示がなされている。
【００５０】
図４Ｂは、実施の形態に係るコントローラ１００が、蓄電システム２００と太陽電池モジュール４００とが正常な接続状態でない場合に表示部１３０に表示させる画像の一例を示す図である。
【００５１】
図３に示すステップＳ１０５において、制御回路１１０は、例えば図４Ｂに示す画像１３３を表示部１３０に表示させる。画像１３３には、例えば、「ＰＶ接続が正しくありません」などの、蓄電システム２００と第１のＰＶ４００との接続が正常ではない旨をユーザに通知できる表示がなされている。
【００５２】
これらのように、コントローラ１００は、表示部１３０によってユーザに蓄電システム２００と、蓄電システム２００と接続される第１のＰＶ４００、蓄電池３００、系統電源６００などとの接続状態が正常であるか否かをユーザに通知する。なお、蓄電システム２００に第２のＰＶ４１０が接続されている場合、制御回路１１０は、蓄電システム２００と第２のＰＶ４１０との接続状態について表示部１３０に表示させてもよい。また、例えば、コントローラ１００と蓄電システム２００が備えるコントローラ１００以外の他の構成要素とが無線によって通信可能に接続される場合、制御回路１１０は、コントローラ１００と当該他の構成要素との無線通信状態について表示部１３０に表示させてもよい。
【００５３】
再び図３を参照し、制御回路１１０は、ユーザから蓄電システム２００に第１のＰＶ４００が接続されている所定の状態でないと判定した場合（ステップＳ１０１でＮｏ）、表示部１３０に蓄電システム２００と第１のＰＶ４００との接続状態に関する表示をさせない（ステップＳ１０６）。つまり、制御回路１１０は、制御回路１１０によって蓄電システム２００が所定の状態ではないと判定された場合、蓄電システム２００と第１のＰＶ４００との接続状態の確認を行わない。例えば、ステップＳ１０６において、制御回路１１０は、表示部１３０に蓄電システム２００と第１のＰＶ４００との接続状態に関する表示をさせず、蓄電池３００、系統電源６００との接続状態のみを表示させてもよい。また、例えば、制御回路１１０は、所定の状態でない場合には、図４Ａに示す「ＰＶ接続：［Ｏ．Ｋ．］」という表示を、「ＰＶ接続：［Ｎ／Ａ］」という表示に変更させてもよい。
【００５４】
続いて、コントローラ１００による蓄電システム２００の出力抑制の制御に関する説明をする。
【００５５】
近年、太陽電池モジュールで発電された電力を電力会社に買取させる（売電する）電力買取制度が制定されている。ユーザは、太陽電池モジュールで発電された電力を売電する場合には、太陽電池モジュールで発電された電力を系統電源側に逆潮流させる。
【００５６】
例えば、蓄電システム２００を太陽光発電システムとして機能させるとき、発電した電力から負荷５２０で消費する電力を差し引いた“余剰電力”を系統電源側に逆潮させ売電する。
【００５７】
ここで、電力会社は、例えば、供給電力が需要電力を大きく上回るときなど、系統電源側に逆潮する電力量を制限させるための出力抑制指令を、インターネットなどの通信網を用いて各太陽光発電システムに送信する。出力抑制指令とは、系統電源へ逆潮する電力量の抑制を指示する旨を示す信号である。各太陽光発電システムは、電力会社から発報される当該出力抑制指令を受信するために、ネットワーク経由で電力会社に接続しなければならない。そのため、各太陽光発電システムは、例えば電力会社サーバのＵＲＬの設定など、ネットワーク接続の設定を施工時の設定画面を使って行う必要がある。
【００５８】
図５は、実施の形態に係るコントローラ１００が出力抑制指令受信のための設定用アイコンを表示部１３０に表示させる処理手順の一例を示すフローチャートである。
【００５９】
まず、制御回路１１０は、ユーザから蓄電システム２００に第１のＰＶ４００が接続されている所定の状態であるか否かを判定する（ステップＳ２０１）。例えば、制御回路１１０は、蓄電システム２００が立ち上げられた際に、図２に示す画像１３１を表示部１３０に表示させる。制御回路１１０は、ユーザが操作部１２０を操作することによって、蓄電システム２００が所定の状態であるか否かを判定する。
【００６０】
制御回路１１０は、ユーザから蓄電システム２００に第１のＰＶ４００が接続されている所定の状態であると判定した場合（ステップＳ２０１でＹｅｓ）、出力抑制指令の受信設定画面の起動アイコン表示を有効にする（ステップＳ２０２）。施工時に、当該起動アイコンを選択することで、出力抑制指令を受けるための設定画面を起動し、設定を行うことができる。
【００６１】
一方、制御回路１１０は、ユーザから蓄電システム２００に第１のＰＶ４００が接続されている所定の状態でないと判定した場合（ステップＳ２０１でＮｏ）、出力抑制指令の受信設定画面の起動アイコン表示を無効にする（ステップＳ２０３）。施工時に、当該起動アイコンが表示されず選択できないため、出力抑制指令を受けるための設定画面を起動することができない。
【００６２】
このように、コントローラ１００は、蓄電システム２００が所定の状態であるか否かに応じて、出力抑制指令を受ける必要があるか否かを判定し、判定した結果を表示部１３０に表示させる画像を変更させることで、施工時の設定要否を明確にすることができる。
【００６３】
＜運用段階における表示部の制御＞
図６は、実施の形態に係るコントローラ１００が、第１のＰＶ４００の発電量を表示部１３０に表示させる場合の画像の一例を示す図である。具体的には、図６は、ユーザが蓄電システム２００を利用している場合に、制御回路１１０が表示部１３０に表示させる画像の一例である。なお、図６は、蓄電システム２００が所定の状態でない場合における画像の一例である。
【００６４】
図６に示されるように、制御回路１１０は、ユーザが蓄電システム２００を利用中には、表示部１３０に画像１３４を表示させる。例えば、画像１３４には、蓄電システム２００に接続されている蓄電池３００の蓄電量（残量）が表示される。また、例えば、画像１３４には、蓄電池３００が充電中であるか、放電中であるかなどの蓄電池３００の充放電の状態が表示されている。
【００６５】
また、画像１３４には、蓄電システム２００に接続されている第１のＰＶ４００が発電中であるか否かが表示されている。例えば、第１のＰＶ４００が発電中である場合には、発電量表示部１３５に第１のＰＶが発電している電力量が表示される。
【００６６】
ここで、蓄電システム２００と第１のＰＶ４００とが接続されていない場合（つまり、蓄電システム２００が所定の状態でない場合）、発電量表示部１３５は表示されなくてもよいが、固定値が表示されるとよい。言い換えると、制御回路１１０は、所定の状態ではないと判定した場合、発電量表示部１３５の表示を固定値にして表示部１３０に表示させるとよい。例えば、制御回路１１０は、発電量表示部１３５の表示を０．０ｋＷのように表示させる。なお、蓄電システム２００と第１のＰＶ４００とが接続されていない場合に、太陽光発電に関するＰＶ表示部１３６自体を非表示にしてもよい。
【００６７】
続いて、端子部７００に異常が検出された場合における、制御回路１１０による表示部１３０の制御について説明する。
【００６８】
図７は、実施の形態に係る蓄電システム２００が所定の状態でない場合を説明するためのブロック図である。
【００６９】
図７に示される蓄電システム２００においては、図１に示される蓄電システム２００と異なり、第１のＰＶ４００と第２のＤＣ／ＤＣコンバータ２３０とが端子部７００を介して接続されていない。つまり、図７に示す蓄電システム２００は、所定の状態ではない場合である。このような場合、端子部７００には、第１のＰＶ４００が接続されていないために、通常は電圧が印加されない。しかしながら、たとえば、蓄電池３００との配線を端子部７００に誤って接続した場合には、端子部７００に電圧が印加される。このように端子部７００に予期せぬ電圧が印加された場合、例えば蓄電システム２００が故障する要因になりうる。制御回路１１０は、蓄電システム２００が所定の状態でない場合、端子部７００に基準値以上の異常な電圧が検出されたとき、端子部７００に異常な電圧が検出された旨を表示部１３０に表示させる。
【００７０】
図８は、実施の形態に係る蓄電システム２００が所定の状態でない場合に、蓄電システム２００が備える端子部７００に基準値以上の電圧を検出されたとき、コントローラ１００が実行する表示部１３０の制御の処理手順の一例を示すフローチャートである。
【００７１】
まず、制御回路１１０は、ユーザから蓄電システム２００に第１のＰＶ４００が接続されている所定の状態であるか否かを判定する（ステップＳ３０１）。例えば、制御回路１１０は、蓄電システム２００が立ち上げられた際に、図２に示す画像１３１を表示部１３０に表示させる。制御回路１１０は、ユーザが操作部１２０を操作することによって、蓄電システム２００が所定の状態であるか否かを判定する。
【００７２】
制御回路１１０は、ユーザから蓄電システム２００に第１のＰＶ４００が接続されている所定の状態でないと判定した場合（ステップＳ３０１でＮｏ）、端子部７００に基準値以上に電圧が検出されたか否かを判定する（ステップＳ３０２）。
【００７３】
制御回路１１０は、端子部７００に基準値以上に電圧が検出されないと判定した場合（ステップＳ３０２でＮｏ）、電圧の判定をし続ける。
【００７４】
一方、制御回路１１０は、端子部７００に基準値以上に電圧が検出されたと判定した場合（ステップＳ３０２でＹｅｓ）、端子部７００に基準値以上に電圧が検出された旨を示す画像を表示部１３０に表示させる（ステップＳ３０３）。
【００７５】
なお、蓄電システム２００が所定の状態でない場合に、端子部７００に印可されて制御回路１１０が異常と判定する電圧の基準値は、特に限定されるものではなく、予め任意に設定されればよい。
【００７６】
［効果等］
以上のように、実施の形態に係るコントローラ１００は、蓄電池３００に接続された第１のＤＣ／ＤＣコンバータ２１０、及び、第１のＤＣ／ＤＣコンバータ２１０に接続された双方向インバータ２２０を備える蓄電システム２００におけるコントローラである。コントローラ１００は、双方向インバータ２２０にＤＣバスを介して第１のＰＶ４００が接続されている所定の状態であるか否かに応じて、コントローラ１００と接続された表示部１３０に表示させる内容を変更させる制御回路１１０を備える。
【００７７】
このような構成によれば、制御回路１１０は、双方向インバータ２２０のＤＣバスを介した第１のＰＶ４００との接続状態に応じて、コントローラ１００と接続される表示部１３０に表示させる画像を変更することで、簡便にユーザへ当該接続状態を通知することができる。そのため、コントローラ１００によれば、ユーザにとっての利便性が向上され得る。
【００７８】
また、例えば、表示部１３０は、ユーザが所有するパーソナルコンピュータ、スマートフォンなどが有するディスプレイでもよいが、コントローラ１００が表示部１３０をさらに備えてもよい。
【００７９】
このような構成によれば、制御回路１１０は、ユーザが当該ディスプレイを所有していない場合においても、蓄電システム２００と第１のＰＶ４００との接続状態に応じて、表示部１３０に表示させる画像を変更することで、簡便にユーザへ当該接続状態を通知することができる。そのため、コントローラ１００によれば、ユーザにとっての利便性が向上され得る。
【００８０】
また、制御回路１１０は、所定の状態である場合に、第１のＰＶ４００による発電量に関する表示を、第１のＰＶ４００が発電した発電量で表示部１３０に表示させてもよい。また、制御回路１１０は、所定の状態でない場合に、第１のＰＶ４００による発電量に関する表示を、固定値で表示部１３０に表示させてもよい。
【００８１】
このような構成によれば、例えば、負荷５２０で消費される電力量が急激に変化した場合に、計測誤差により、第１のＰＶ４００が蓄電システム２００に接続されていないにもかかわらず、制御回路１１０が表示部１３０に０ではない発電量を表示させる制御をすることを抑制できる。
【００８２】
また、制御回路１１０は、所定の状態である場合に、第１のＰＶ４００と、第１のＰＶ４００と双方向インバータ２２０との間に接続される第２のＤＣ／ＤＣコンバータ２３０との接続状態が正常であるか否かを確認するための表示を表示部に表示させてもよい。また、制御回路１１０は、所定の状態でない場合に、第１のＰＶ４００と第２のＤＣ／ＤＣコンバータ２３０との接続状態が正常であるか否かを確認するための表示を表示部１３０に表示させなくてもよい。
【００８３】
このような構成によれば、ユーザは、蓄電システム２００と第１のＰＶ４００との接続状態が適切か否かを簡便に確認できる。
【００８４】
また、コントローラ１００は、さらに通信部１４０を備えてもよい。制御回路１１０は、所定の状態である場合に、系統電源６００へ逆潮する電力量の抑制を指示する旨を示す信号の通信部１４０を介した受信を設定するための画像を表示部１３０に表示させてもよい。また、制御回路１１０は、所定の状態でない場合に、当該信号の通信部１４０を介した受信を設定するための画像を表示部１３０に表示させなくてもよい。
【００８５】
このような構成によれば、ユーザは、蓄電システム２００の充放電制御の設定をする際に、不要な設定をする必要がなくなる。そのため、コントローラ１００によれば、ユーザにとっての利便性がより向上され得る。
【００８６】
また、制御回路１１０は、所定の状態でない場合に、第２のＤＣ／ＤＣコンバータ２３０と第１のＰＶ４００とを接続する端子部７００に基準値以上の電圧を検出したとき、当該基準値以上の電圧を検出した旨を示す表示を表示部１３０に表示させてもよい。
【００８７】
このような構成によれば、ユーザは、端子部７００に予期せぬ電圧が印加されていることを簡便に確認できる。例えば、端子部７００に基準値以上の電圧を検出したとき、ユーザは、端子部７００に異常がないかをすぐに検査することができる。つまり、コントローラ１００によれば、ユーザにとっての利便性がより向上され得る。
【００８８】
また、本発明の一態様に係る蓄電システム２００は、コントローラ１００と、第１のＤＣ／ＤＣコンバータ２１０と、双方向インバータ２２０と、第１のＰＶ４００と双方向インバータ２２０との間に接続された第２のＤＣ／ＤＣコンバータ２３０と、を備える。
【００８９】
このような構成によれば、蓄電システム２００は、蓄電システム２００と第１のＰＶ４００との接続状態が適切か否かを、例えば蓄電システム２００と接続される表示部１３０に表示させる画像を変更することで、簡便にユーザへ当該接続状態を通知することができる。そのため、蓄電システム２００によれば、ユーザにとっての利便性が向上され得る。
【００９０】
また、本発明の一態様に係るプログラムは、蓄電池３００に接続された第１のＤＣ／ＤＣコンバータ２１０、及び、第１のＤＣ／ＤＣコンバータ２１０に接続された双方向インバータ２３０を備える蓄電システム２００を制御する制御方法をコンピュータに実行させるためのプログラムである。本発明の一態様に係るプログラムは、双方向インバータ２２０にＤＣバスを介して第１のＰＶ４００が接続されている所定の状態であるか否かに応じて、表示部１３０に表示させる内容を変更する制御方法を含む。
【００９１】
このような構成によれば、蓄電システム２００と第１のＰＶ４００との接続状態に応じて、表示部１３０に表示させる画像を変更することができるプログラムが実現される。そのため、当該プログラムを実行するコントローラ１００などのコンピュータによれば、ユーザにとっての利便性が向上され得る。
【００９２】
（他の実施の形態）
以上、実施の形態に係るコントローラ、蓄電システムおよびプログラムについて説明したが、本発明は、上記実施の形態に限定されるものではない。
【００９３】
例えば、蓄電システム２００は、第２のＤＣ／ＤＣコンバータ２３０を備えていなくてもよい。この場合、制御回路１１０が、所定の状態であると判定することは、蓄電システム２００に、第２のＤＣ／ＤＣコンバータ２３０及び第１のＰＶ４００が接続されていると判定することを意味する。
【００９４】
各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００９５】
１００  コントローラ
１１０  制御回路
１２０  操作部
１３０  表示部
１４０  通信部
２００  蓄電システム
２１０  第１のＤＣ／ＤＣコンバータ
２２０  双方向インバータ
２３０  第２のＤＣ／ＤＣコンバータ
３００  蓄電池
４００  第１のＰＶ（太陽電池モジュール）
６００  系統電源
７００  端子部
【図１】
2018196286.tif 000003
【図２】
2018196286.tif 000004
【図３】
2018196286.tif 000005
【図４Ａ】
2018196286.tif 000006
【図４Ｂ】
2018196286.tif 000007
【図５】
2018196286.tif 000008
【図６】
2018196286.tif 000009
【図７】
2018196286.tif 000010
【図８】
2018196286.tif 000011